【事件の表示】
　特許第３２９３１７１号「カラーフィルター用感放射線性組成物およびカラーフィルター」の請求項１、２に係る特許に対する特許異議の申立てについて、次のとおり決定する。
【結　論】
　訂正を認める。
　特許第３２９３１７１号の請求項１ないし２に係る特許を維持する。
【理　由】
Ｉ．手続の経緯
　特許第３２９３１７１号に係る発明は、平成４年６月１１日に出願され、平成１４年４月５日に特許の設定登録がなされた。
　本件特許公報は、平成１４年６月１７日に発行され、それに対して、奥村安記子及び森田昭司よりそれぞれ特許異議の申立があり、取消理由通知がなされ、その指定期間内である平成１５年６月１０日に訂正請求がなされた。
II．訂正の適否
１．訂正の内容
　訂正を請求する事項は、次のとおりである。
訂正事項ａ．
　特許請求の範囲の請求項１の記載を、
「【請求項１】
　［Ａ］顔料、
　［Ｂ］バインダーポリマー、
　［Ｃ］感放射線化合物、
　［Ｄ］溶剤、および
　［Ｅ］分子量が１，０００以下であって、分子中に少なくとも１個の酸基を有する少なくとも１種の有機カルボン酸化合物を含有するカラーフィルター用感放射線性組成物であって、
　前記バインダーポリマー（Ｂ）が、酸モノマー（Ｂ−１）と、この酸モノマーと共重合可能なコモノマー（Ｂ−２）との共重合体であって、
　前記顔料（Ａ）が、バインダーポリマー（Ｂ）１００重量部に対して、１０〜１０００重量部の量で含まれ、
　前記有機カルボン酸化合物（Ｅ）が、脂肪族モノカルボン酸、脂肪族ジカルボン酸、脂肪族トリカルボン酸および芳香族ジカルボン酸から選ばれる少なくとも１種であって、該組成物中に０．００１〜１０重量％の量で含まれることを特徴とするカラーフィルター用感放射線性組成物。」と訂正する。
　　
訂正事項ｂ．
　本件特許明細書の段落【００５８】の、「表２に示すカラーフィルター用感放射線性組成物３」を、「表３に示すカラーフィルター用感放射線性組成物３」と訂正する。
　　
訂正事項ｃ．
　本件特許明細書の段落【００６１】の、「表２に示す組成物２」を、「表４に示す組成物４」と訂正する。
　　
訂正事項ｄ．
　本件特許明細書の段落【００６５】の、「表２に示すカラーフィルター用感放射線性組成物５」を、「表５に示すカラーフィルター用感放射線性組成物５」と訂正する。
　　
訂正事項ｅ．
　本件特許明細書の段落【００６８】の、「表２に示すカラーフィルター用感放射線性組成物６」を、「表６に示すカラーフィルター用感放射線性組成物６」と訂正する。
　　
訂正事項ｆ．
　本件特許明細書の段落【００７１】の、「表２に示すカラーフィルター用感放射線性組成物７」を、「表７に示すカラーフィルター用感放射線性組成物７」と訂正する。
　　
訂正事項ｇ．
　本件特許明細書の段落【００７４】の、「表２に示すカラーフィルター用感放射線性組成物７」を、「表８に示すカラーフィルター用感放射線性組成物８」と訂正する。
２．訂正の目的の適否、新規事項追加の有無、及び特許請求の範囲の実質上の拡張又は変更の存否
　訂正事項ａにおいて、「カラーフィルター用感放射線性組成物であって」との記載を加える点は、［Ａ］〜［Ｅ］からなる組成物がカラーフィルター用感放射線性組成物であることを明記することで、請求項１の記載をより明りようにするために記載したものであって、特許法第１２０条の４第２項但し書き第３号に規定する明りょうでない記載の釈明を目的とする訂正に該当する。
　同じく、「前記バインダーポリマー（Ｂ）が、酸モノマー（Ｂ−１）と、この酸モノマーと共重合可能なコモノマー（Ｂ−２）との共重合体であって」との記載を加える点は、バインダーポリマー（Ｂ）の内容を更に限定するものであるから、特許法第１２０条の４第２項但し書き第１号に規定する特許請求の範囲の減縮を目的とする訂正に該当する。
　さらに、同じく、「該組成物中に０．００１〜１０重量％の量で含まれる」との記載を加える点は、有機カルボン酸化合物（Ｅ）の添加量を限定するものであるから、特許法第１２０条の４第２項但し書き第１号に規定する特許請求の範囲の減縮を目的とする訂正に該当する。
　そして、「前記バインダーポリマー（Ｂ）が、酸モノマー（Ｂ−１）と、この酸モノマーと共重合可能なコモノマー（Ｂ−２）との共重合体であって」とする根拠は、段落【００１２】により、また、「該組成物中に０．００１〜１０重量％の量で含まれる」とする根拠は、段落【００４３】〜【００４４】により支持されていることであるから、願書に添付した明細書に記載した事項の範囲内の訂正であり、実質上特許請求の範囲を拡張し又は変更するものでもない。
　訂正事項ｂ〜ｇは、訂正前の段落【００５８】、【００６１】、【００６５】、【００６８】、【００７１】、【００７４】における表番号および組成物番号の記載が本件特許明細書中の実施例および比較例における表の記載箇所および順序から誤記であることは明らかであり、それを訂正するものであるから、特許法１２０条の４第２項但し書き第２号に規定する誤記の訂正を目的とするものに該当する。そして、訂正事項ｂ〜ｇは、いずれも願書に添付した明細書に記載した事項の範囲内の訂正であり、しかも特許請求の範囲を実質的に拡張し又は変更するものでもない。
３．訂正の適否の結論
　以上のとおりであるから、上記訂正は、特許法等の一部を改正する法律（平成６年法律１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
III．特許異議申立について
１．本件発明
　本件の請求項１、２に係る発明は、訂正後の特許請求の範囲の請求項１、２に記載された次のとおりのものである。
「【請求項１】[Ａ]顔料、
 [Ｂ]バインダーポリマー、
 [Ｃ]感放射線化合物、
 [Ｄ]溶剤、および
 [Ｅ]分子量が１，０００以下であって、分子中に少なくとも１個の酸基を有する少なくとも１種の有機カルボン酸化合物を含有するカラーフィルター用感放射線性組成物であって、
  前記バインダーポリマー（Ｂ）が、酸モノマー（Ｂ−１）と、この酸モノマーと共重合可能なコモノマー（Ｂ−２）との共重合体であって、
  前記顔料（Ａ）が、バインダーポリマー（Ｂ）１００重量部に対して、１０〜１０００重量部の量で含まれ、
  前記有機カルボン酸化合物（Ｅ）が、脂肪族モノカルボン酸、脂肪族ジカルボン酸、脂肪族トリカルボン酸および芳香族ジカルボン酸から選ばれる少なくとも１種であって、該組成物中に０．００１〜１０重量％の量で含まれることを特徴とするカラーフィルター用感放射線性組成物。
【請求項２】請求項１に記載のカラーフィルター用感放射線性組成物から形成されるカラーフィルター。」
２．特許異議申立の理由の概要
　特許異議申立人　奥村安記子は、甲第１号証〜甲第５号証を提出して、
（１）訂正前の請求項１、２に係る発明は、その出願の日前の出願であって、その出願後に出願公開された甲第１号証及び甲第２号証の願書に最初に添付した明細書に記載された発明と同一であり、しかも、この出願の発明者がその出願に係る上記の発明をしたものであるとも、またこの出願の時において、その出願人がその出願前の出願に係る上記各特許出願の出願人と同一であるとも認められないので、特許法第２９条の２の規定により取り消すべき旨、また、
（２）訂正前の請求項１、２に係る発明は、甲第４号証を参酌すると甲第３号証に記載された発明であるから、特許法第２９条第１項第３号の規定により、各請求項の発明に係る特許を取り消すべき旨、さらに、
（３）訂正前の請求項１、２に係る発明は、甲第３号証及び甲第５号証に記載された発明に基づいて特許出願前にその発明の属する技術分野における通常の知識を有する者が容易に発明をすることができたものであるから、特許法第２９条第２項の規定により、その特許を取り消すべき旨、主張する。
　特許異議申立人　森田昭司は、甲第１号証〜甲第５号証を提出して、
（４）訂正前の請求項１、２に係る発明は、甲第１号証〜甲第５号証に記載された発明に基づいて特許出願前にその発明の属する技術分野における通常の知識を有する者が容易に発明をすることができたものであるから、特許法第２９条第２項の規定により、その特許を取り消すべき旨、及び、
（５）本件特許明細書には、記載上の不備があるため、特許法第３６条第４項又は第６項の規定に違反して特許されたものであるからその特許を取り消すべき旨、主張する。
３．証拠方法
　奥村安記子提出分
甲第１号証：特願平３−２４２８９６号出願の願書に最初に添付した明細書及び図面（特開平６−１９１３３号公報をもって代える。以下、「先願１」という）
甲第２号証：特願平３−２４２８９７号出願の願書に最初に添付した明細書及び図面（特開平４−３６９６５３号公報をもって代える。以下、「先願２」という）
甲第３号証：特開平２−２６２６６３号公報（以下、「刊行物１」という）
甲第４号証：特開昭６３−８５６３３号公報（以下、「刊行物２」という）
甲第５号証：特開昭６１−１９４４３８号公報（以下、「刊行物３」という）
　森田昭司提出分
甲第１号証：特開平２−１９９４０３号公報（以下、「刊行物４」という）
甲第２号証：特開平４−３２８４９号公報（以下、「刊行物５」という）
甲第３号証：特開昭６１−１９４４３８号公報（「刊行物３」に同じ）
甲第４号証：特開昭６３−２７６０４８号公報（以下、「刊行物６」という）
甲第５号証：「化学大辞典第９巻」共立出版株式会社（昭和５９年３月１５日縮刷版第２８刷発行）第３９６〜３９７頁（以下、「刊行物７」という）
４．甲号各証に記載された発明
　先願１には、　
ア．「炭素−炭素不飽和結合を有する感光性樹脂、光重合開始剤、ジカルボン酸化合物、および、塩基性有機顔料を含有することを特徴とする着色感光性組成物。」（請求項１）、
イ．「感光性樹脂を溶解させうる有機極性溶媒中に、感光性樹脂、光重合開始剤及びジカルボン酸化合物が溶解されていると共に、塩基性有機顔料が分散されている請求項１に記載の着色感光性組成物。」（請求項２）、
ウ．「この発明の着色感光性組成物は、その組成物の塗膜（皮膜）を基材上に形成し、その塗膜上に光照射してパターン状に光硬化させ、最後に、現像液で該塗膜の未露光部分（未硬化部分）を除去する現像操作を行うことによって、カラー撮像素子や、カラーセンサー、カラーディスプレー等の微細色分解用のカラーフィルターなどの着色パターン部材を製造する方法において使用することができる。」（【０００１】）、
エ．「この発明の着色感光性組成物は、例えば、（１）炭素−炭素二重結合（感光性基）を有する感光性（芳香族）ポリアミド、感光性（芳香族）ポリイミド等の『感光性樹脂』、（２）ビスアジド化合物、ベンジル類、ベンゾインエーテル類、チオキサントン類等の『光重合開始剤』、（３）シュウ酸、マレイン酸、コハク酸、フタル酸等の『ジカルボン酸化合物』及び（４）『塩基性有機顔料』が、均一に配合、混合又は分散されている着色感光性樹脂組成物、或いはその溶液組成物が好適である。」（【００１１】）、
オ．「前記の感光性芳香族ポリアミドなどの感光性樹脂と塩基性有機顔料との混合割合は、該感光性樹脂１００重量部に対して、該塩基性有機顔料が５〜２００重量部、特に１０〜１００重量部の割合であることが好ましい。」
（【００３０】）、
カ．実施例には、全組成中のジカルボン酸化合物を０．０２２重量％（実施例３）〜０．１３５重量％（実施例７）の範囲で添加して着色感光性組成物を形成したこと、
が記載されている。
　　
　先願２には、
キ．「炭素−炭素不飽和結合を有する感光性樹脂、光重合開始剤、カルボン酸化合物、および、酸性有機顔料を含有することを特徴とする着色感光性組成物。」（請求項１）、
ク．「感光性樹脂を溶解させうる有機極性溶媒中に、感光性樹脂、光重合開始剤及びカルボン酸化合物が溶解されていると共に、酸性有機顔料が分散されている請求項１に記載の着色感光性樹脂組成物。」（請求項２）、
ケ．「この発明の着色感光性樹脂組成物は、その組成物の塗膜（皮膜）を基材上に形成し、その塗膜上に光照射してパターン状に光硬化させ、最後に、現像液で該塗膜の未露光部分（未硬化部分）を除去する現像操作を行うことによって、カラー撮像素子や、カラーセンサー、カラーディスプレー等の微細色分解用のカラーフィルターなどの着色パターン部材の製造方法において使用することができる。」（【０００１】）、
コ．「この発明の着色感光性組成物は、例えば、（１）炭素−炭素二重結合（感光性基）を有する感光性（芳香族）ポリアミド、感光性（芳香族）ポリイミド等の『感光性樹脂』、（２）ビスアジド化合物、ベンジル類、ベンゾインエーテル類、チオキサントン類等の『光重合開始剤』、（３）シュウ酸、グリコール酸、マレイン酸、コハク酸、フタル酸、乳酸等の『カルボン酸化合物』及び（４）『酸性有機顔料』が、均一に配合、混合又は分散されている着色感光性樹脂組成物、或いはその溶液組成物が好適である。」（【００１１】）、
サ．「前記の感光性芳香族ボリアミドなどの感光性樹脂と酸性有機顔料との混合割合は、該感光性樹脂１００重量部に対して、該酸性有機顔料が５〜２００重量部、特に１０〜１００重量部の割合であることが好ましい。」（【００３０】）、
シ．実施例には、全組成中のカルボン酸化合物を０．１３４重量％（実施例２）〜０．５６１重量％（実施例１）の範囲で添加して着色感光性組成物を形成したこと、
が記載されている。
　　
　刊行物１には、
ス．「（１）少なくとも光重合開始剤、色画像形成物質、および重合性化合物を含有する組成物を、親水性バインダーに分散し、支持体上に塗設した感光材料を、露光処理し、露光部分の重合性化合物を重合することにより、これに含まれる色画像形成物質を不動化し、その後、アルカリ性水溶液で未露光部分の未重合性化合物に含まれる色画像形成物質を溶出して、色素画像を形成することを特徴とするカラー画像記録方法。」（特許請求の範囲）、
セ．「そのため本発明で用いられる色画像形成物質は有機化合物であることが望ましい。有機色素としては特に制限はなく、アゾ系、アゾメチン系、アゾピラゾロン系、インドアニリン系、インドフェノール系、アントラキノン系、トリアリールメタン系、アリザリン、ニトロ系、キノリン系、インジゴ系、フタロシアニン系、ビスアゾ系、キレート色素系、スチリル系、キサンテン系、チアジン系、アミノケトン系、メチン系、ナフタルイミド系、ベンゾピラン系、キノンイミン系、キサンテン系、スチルベン系、トリアゾール系、シアニン系、ピリジン系、等、多くの染料、顔料を用いることができる。」（第６頁右上欄１８行〜左下欄１１行）、
ソ．「本発明の色画像形成物質、光重合開始剤等を重合性化合物に導入し、親水バインダー中に乳化分散する際、その導入を補助する目的で、有機溶媒を用いることが多い。」（第１８頁右下欄５〜８行）、
タ．「高沸点有機溶媒としては、例えばフタール酸アルキルエステル（ジブチルフタレート、ジオクチルフタレート等）、・・・・トリメシン酸エステル（例えばトリメシン酸トリブチル）特願昭６１−２３１５００号記載のカルボン酸類、特開昭５９−８３１５４号、・・・・に記載の化合物等を用いることができる。」（第１８頁右下欄１９行〜第１９頁左上欄１７行）、
チ．「主な成分の量比は使用日的に応じた態様にかなり依存することから広い範囲が可能であるが、重合性化合物、光重合開始剤、色画像形成物質、およびバインダーについて記述すると、重合性化合物とバインダーの重量比は０．１〜１０程度で、より好ましくは０．３〜３の範囲である。」（第２２頁右下欄４〜９行）、
ツ．「色画像形成物質についても、その吸光係数や分子量により大巾にその範囲が変わり得るが、通常重合性化合物の０．１重量％〜５０重量％で、１重量％〜２０重量％がより好ましい。」（第２２頁右下欄１７〜２０行）、
テ．実施例には、色画像形成物質１５０ｍｇに、ジクロロメタン、重合性化合物を２．５ｇ、１０％ゼラチン水溶液２６ｇ、その他、光重合開始剤、ゼラチン水溶液、界面活性剤、硬膜剤等からなる分散液を用いて、透明支持体上に塗布乾燥後、露光、現像を経て、カラー画像を形成したこと、一般の写真画像形成だけでなく解像度の要求されるカラーフィルター等への応用にも十分使用出来ること（実施例１）、ガラス支持体上に、マゼンタ画像形成物質１．９８ｇ、シアンが像形成物質１．３２ｇ、１０％ゼラチン３００ｇ、その他、重合性化合物、重合開始剤、増感剤、ペンタメチルアニリン、界面活性剤、ゼラチン水溶液、硬膜剤の分散液を用いてＢＬ層を形成し、イエロー画像形成物質１．９３ｇ、マゼンタ画像形成物質１．３８ｇ、重合性化合物３０ｇ、１０％ゼラチン３００ｇ、その他、重合性化合物、重合開始剤、増感剤、ペンタメチルアニリン、界面活性剤、ゼラチン水溶液、硬膜剤の分散液を用いてＲＬ層を形成し、及び、イエロー画像形成物質２．３１ｇ、シアン画像形成物質１．００ｇ、１０％ゼラチン３００ｇ、その他、重合性化合物、重合開始剤、増感剤、ペンタメチルアニリン、界面活性剤、ゼラチン水溶液、硬膜剤の分散液を用いてＧＬ層を形成して、Ｂ、Ｇ、Ｒのピクセルを形成してカラーフィルターを成作したところ、カラーフィルターとして十分な分光吸収を示し、特にムラ、欠陥はなかったこと（実施例５）、
が記載されている。
　
　刊行物２には、
ト．「本発明において用いられる前記非発色性でかつ耐拡散性のカルボン酸類は、下記一般式（ＩＸ）で表される。」（第７頁左上欄１２〜１４行）、
ナ．「次に、一般式（ＩＸ）で表される化合物のうち好ましい具体例を示すが、これらに限定するものではない。」（第１２頁右下欄８〜１０行）、
ニ．その具体例を化学式Ａ−１〜Ａ−３５で示しており、その内、Ａ−８、Ａ−２５、およびＡ−２６は脂肪族モノカルボン酸であり、Ａ−１４およびＡ−１５は脂肪族ジカルボン酸である（第１２頁右下欄１１行〜第１４頁左下欄）、
ことが記載されている。
　　
　刊行物３には、
ヌ．「銅の基材と、それに直接積層させた水性の処理可能で光重合可能なしジスト組成物のフィルムとから成り、このレジスト組成物は光重合性エチレン性不飽和単量体、光開始剤または光開始剤系、１００以上の酸価を有する結合剤、および３００を超えない分子量と・・・・の範囲の解離定数とを有する酸とから成るものであり、そして前記の酸は銅表面上での前記組成物のステインまたはスカムの形成を阻止するのに充分な量で存在させるものとし、かくして走査水銀アークに部分露光させそして１０５°Ｆで０．０４ＮのＮａＯＨを用いて現像した後に、そのフィルムが水銀アークに露光された部分では接着性であるが水銀アークに露光されなかった部分では非接着性である様な性質をそのフィルムが有する様にさせたことを特徴とする、上記銅の基材としジスト組成物のフィルムとから成るエレメント。」（特許請求の範囲第１項）、
ネ．「本発明によれば、３００を超えない分子量であって、２０℃で１００ｇの水中少なくともその０．０１ｇが溶解する溶解度および１×１０−５〜５×１０−２の範囲の解離定数を有する酸の添加がスカムまたはステイン形成を減少または最小化させるのである。・・・・０．０１〜１．０重量％の酸（・・・・）の添加は満足すべきものである。」（第３頁左下欄５行〜右下欄第８行）、
ノ．「本発明の実施に特に有用であることの見出されている酸はクエン酸、マロン酸、リンゴ酸およびマレイン酸である。またセバシン酸、安息香酸、クロロコハク酸、ピメリン酸、アゼライン酸、アジピン酸、グルタル酸、フタル酸およびコハク酸もまた有用であることが見出されている。」（第４頁左上欄５〜１１行）、
ハ．「光重合体レジスト組成物は重合体成分（結合剤）、単量体成分、開始剤および場合により重合防止剤から調製される。」（第５頁右上欄１２〜１４行）、
ヒ．「種々の染料および顔料を加えてレジスト画像の可視性を上昇させることができる。」（第８頁右上欄１０〜１１行）、
フ．「例１
　水性のレジストフィルムを以下の方法で製造した。
　混合用に空気撹枠装置を付した容器に次の成分を加えた。
（１）メチレンクロリド　　　　　　　　　　　　　８１０．００ｇ
（２）メタノ−ル　　　　　　　　　　　　　　　　　８０．００ｇ
（３）スチレンブチルマレアート・・・・　　　　　１５７．５ｇ
（４）スチレンアクリル酸・・・・　　　　　　　　１１４．８０ｇ
（５）２，２’−ビス−・・・・　　　　　　　　　　　７．６０ｇ
　　これを５分間撹拌した。
（６）ベンゾフェノン　　　　　　　　　　　　　　　２２．５ｇ
（７）ミヒラーのケトン　　　　　　　　　　　　　　２２．５０ｇ
（８）ロイコクリスタルバイオレット　　　　　　　　　１．８０ｇ
（９）ｐ−トルエンスルホン酸　　　　　　　　　　　　０．４５ｇ
　　これを５分間撹拌した。
（１０）トリメチロールプロパントリアクリレート　１２６．００ｇ
（１１）トリエチレングリコールジメタアクリレート　１３．５０ｇ
（１２）Ｃ．Ｉ．ベーシックグリーン４　　　　　　　　０．１４ｇ
（１３）１，４，４−トリメチル−２，５−・・・・　　０．４５ｇ
　　これを３０分間撹拌した。」（第９頁左上欄９行〜右上欄２２行）、
ことが記載されている。
　　
　刊行物４には、
ホ．「基板上に、アクリル樹脂、有機色素、分散剤および溶剤を主成分とする着色樹脂組成物をコーティングして、任意の色数で所望のパターン形状に各色別に設けることを特徴とするカラーフィルターであって、上記アクリル樹脂のモノマーの一般式が・・・・のアクリル樹脂を用いることを特徴とするカラーフィルター。」（特許請求の範囲第１項）、
マ．「本発明に用いることができる色素としては、染料や顔料が有るが、耐熱性、耐光性の面から顔料が望ましい。」（第４頁左上欄１３〜１５行）、
ミ．「樹脂を溶解させる溶剤としては、メチルセロソルブ、エチルセルソルブ、シクロヘキサノン、キシレン等が良く、またこれらの溶剤の混合物でも良いが、特に溶解性、コーティング性からエチルセロソルブ、シクロヘキサノンが望ましい。」（第４頁左上欄７〜１２行）、
ム．「本発明の着色組成物を重合法として用いる場合、加えられるモノマー及び重合開始剤を種々用いることができるが、モノマーとしては、二官能、三官能モノマーがあり、２官能モノマーとして、１，６−へキサンジオールジアクリレート、エチレングリコールジアクリレート、・・・・、３官能モノマーとしてトリメチロールプロパントリアクリレート、ペンタエリスリトールトリアクリレ−ト・・・・がある。また光重合開始剤としては、アセトフェノン、ベンゾフェノン、ベンジルジメチルケタール、ベンゾイルパーオキサイド、２−クロロチオキサントン等があり、・・・・」（第５頁右上欄７行〜左下欄５行）、
メ．「アクリル樹脂（メタクリル酸２０部、シクロヘキシルアクリレート２５部、メチルメタクリレート５５部をエチルセロソルブ３００部に溶解し、窒素雰囲気下でアゾビスイソブチロニトリル０．７５部を加えて、７０℃、５時間反応より得られたアクリル樹脂）を樹脂濃度１０％になる様にエチルセロソルブで希釈した。この希釈樹脂９０．１ｇに対し顔料９．０ｇ、分散剤０．９ｇを添加して、３本のロールで十分混練して赤、緑、青色のワニスを作成した。」（第６頁左上欄２〜９行）、
モ．「次に超高圧水銀燈等を用いて、マスク露光し、現像して、着色フィルター層のレリーフパターンを形成する。」（第５頁右下欄１０〜１２行）、
ヤ．「２．５％炭酸ナトリウム溶液で現像後良く水洗した。基板に顔料が付着しているので、柔らかいスポンジでこすり顔料を除去した。」（第６頁左下欄１８行〜右下欄１行）、
ことが記載されている。
　　
　刊行物５には、ネガ型感光性樹脂組成物用現像液に関する発明が開示され、現像の対象となる感光性樹脂組成物について、
ユ．「光の透過量もしくは反射量を制御する液晶とカラーフィルターを構成要素とする液晶表示装置において、そのカラーフィルターとしては、染色法、印刷法、電着法等により赤、緑、青の画素及びブラックマトリックスをガラス基板上に形成したものが使用されている。
　更に、特開平１−１５２４４９号公報に開示されたように、多官能アクリレートモノマー、有機重合体結合剤、光重合開始剤を含有する感光性樹脂組成物中に染料もしくは顔料を分散した組成物が好適に使用される。
　しかしながら、従来の現像液を使用した場合、非画像部の現像残りが生じやすく、パターンエッジ部のシャープネスさも不充分であった。・・・・」（第２頁左上欄１７行〜右上欄２０行）、
ヨ．「バインダーは、モノマーに対して相溶性のある線状有機高分子重合体で、有機溶剤に可溶で、弱アルカリ水溶液で現像できるものが好ましい。このような線状有機高分子重合体としては、側鎖にカルボン酸を有するポリマー、例えば・・・・に記載されているようなメタクリル酸共重合体、アクリル酸共重合体、イタコン酸共重合体、クロトン酸共重合体、マレイン酸共重合体、部分エステル化マレイン酸共重合体等があり、・・・・」（第５頁左下欄１８行〜右下欄１１行）、
が記載されている。
　　
　刊行物６には、
ラ．「（ａ）オルトキノンジアジド化合物、（ｂ）フェノール性水酸基を有するビニル系重合体樹脂及び（ｃ）２以上のｐＫａ値を有する有機酸を含有することを特徴とする感光性組成物。」（特許請求の範囲第１項）、
リ．「本発明における有機酸はｐＫａ値が２以上であることが必要であるが、好ましくはｐＫａ値が３．０〜９．０であり、更に好ましくは３．５〜８．０である。ｐＫａ値が２未満の有機酸の場合、アンダー現像性及び・・・・において劣り・・・・。このような化合物としては、例えばアジピン酸、アゼライン酸、イソフタル酸、β−エチルグルタル酸、ｍ−オキシ安息香酸、ｐ−オキシ安息香酸、グリセリン酸、・・・・ジメチルマロン酸、α一酒右酸、・・・・フタル酸、フマル酸、β−プロピルグルタル酸、・・・・用いることができる。上記有機酸の感光性組成物中に占める割合は０．０５〜１０重量％が適当であり、好ましくは０．１〜５重量％である。」（第６頁左上欄８行〜左下欄１行）、
ル．「本発明の感光性組成物には、前記素材の他、必要に応じて更に染料、顔料等の色素、可塑剤などを添加することができる。」（第６頁右下欄４〜６行）、
レ．「本発明の感光性組成物を用いた感光性層を設ける支持体としては、アルミニウム、亜鉛、銅、銅等の金属板、並びにクロム、亜鉛、銅、ニッケル、アルミニウム、鉄等がメッキまたは蒸着された金属板、紙、プラスチックフィルム及びガラス板、樹脂が塗布された紙、アルミニウム等の金属箔が張られた紙、親水化処理したプラスチックフィルム等が挙げられる。」（第７頁左上欄１０〜１７行）、
ロ．「本発明の感光性平版印刷版の現像に用いられる現像液としては、水系アルカリ現像液が好適である。」（第７頁右上欄８〜１２行）、
ワ．第９頁、表−１には、コハク酸、グルタル酸、アジピン酸、アスコルビン酸等の有機酸を用いた感光性組成物はアンダー現像性に優れていることが記載されている。ここでアンダー現像性は、アルカリ濃度が希釈された現像液、すなわち現像能力が低下した現像液に対する現像性の評価を示すもので（第７頁右下欄１７〜１９行）、地汚れの有無で評価される（表−１、欄外）、
ことが記載されている。
　　
　刊行物７には、
ヲ．物質の溶解に関する一般的説明が記載されている。
４．判断
４．１．特許法第２９条の２違反について
　訂正後の本件特許請求の範囲の請求項１に係る発明（以下、訂正後の請求項１及び２に係る発明を、本件発明１及び２と称する。）と、先願１及び２に記載された発明とを対比すると、先願１及び２の明細書には、本件発明１の構成のうち、
「[Ａ]顔料、[Ｂ]バインダーポリマー、[Ｃ]感放射線化合物、[Ｄ]溶剤、および[Ｅ]分子量が１，０００以下であって、分子中に少なくとも１個の酸基を有する少なくとも１種の有機カルボン酸化合物を含有するカラーフィルター用感放射線性組成物であって、
前記顔料（Ａ）が、バインダーポリマー（Ｂ）１００重量部に対して、１０〜１０００重量部の量で含まれ、
  前記有機カルボン酸化合物（Ｅ）が、脂肪族モノカルボン酸、脂肪族ジカルボン酸、脂肪族トリカルボン酸および芳香族ジカルボン酸から選ばれる少なくとも１種であって、該組成物中に０．００１〜１０重量％の量で含まれることを特徴とするカラーフィルター用感放射線性組成物。」（ア〜シ）である感放射線性組成物が記載されている点で一致する。
  しかしながら、本件発明１は、バインダーポリマー（Ｂ）として、酸モノマー（Ｂ−１）と、この酸モノマーと共重合可能なコモノマー（Ｂ−２）との共重合体であることを規定するものである。それに対して、先願１，２に記載されているバインダーポリマーは、ポリアミド又はポリイミドを使用するもの（エ、オ、コ、サ）しか認識していないから、バインダーポリマーの構成において相違する。したがって、請求項１に係る発明は、先願１，２に記載された発明と同一ではない。同じ理由で、請求項２に係る発明も同一でない。
４．２．特許法第２９条第１項第３号違反について
　刊行物１に記載された、引用部分（タ）に記載された刊行物２の（ト〜ニ）を参照することにより、刊行物１に記載されたカラー画像形成方法に使用する感光材料には、分子量が１，０００以下であって、分子中に少なくとも１個の酸基を有する少なくとも１種の有機カルボン酸化合物ないし脂肪族モノカルボン酸、脂肪族ジカルボン酸が含有されうることが認められるから、本件発明１と、刊行物１に記載された発明とを対比すると、刊行物１には、本件発明１の構成のうち、
「[Ａ]顔料、[Ｂ]バインダーポリマー、[Ｃ]感放射線化合物、[Ｄ]溶剤、および[Ｅ]分子量が１，０００以下であって、分子中に少なくとも１個の酸基を有する少なくとも１種の有機カルボン酸化合物を含有するカラーフィルター用感放射線性組成物であって、
  前記有機カルボン酸化合物（Ｅ）が、脂肪族モノカルボン酸、脂肪族ジカルボン酸、脂肪族トリカルボン酸および芳香族ジカルボン酸から選ばれる少なくとも１種が含まれることを特徴とするカラーフィルター用感放射線性組成物。」（ス〜タ）である感放射線性組成物が記載されている点で一致する。
　しかしながら、刊行物１には、本件発明１で規定する、「顔料（Ａ）が、バインダーポリマー（Ｂ）１００重量部に対して、１０〜１０００重量部の量で含まれる」点については記載されていない。すなわち、刊行物１に記載している色画像形成物質の重合性化合物に対する重量比「０．１重量％〜５０重量％」（ツ）は、重合性化合物のみに対する比率であって、バインダーとして機能するポリマー全体に対する値ではない。刊行物１におけるバインダーポリマーの総量は、重合性化合物由来のポリマーのみならず、多量配合される親水性ポリマーバインダー（ゼラチンなど）を含んでいるから、それを１００重量部とした場合の「顔料」の重量部の値は、規定最低限度の「１０重量部」に到底及ばない。（例えば、実施例１では、２．９重量部に過ぎない。）
　また、本件発明１は、訂正の結果、有機カルボン酸の含有量を組成物全体に対して、０．００１〜１０重量％の範囲と明記されている。それに対して、刊行物１には、多くの溶剤としての候補物質の羅列の中に、刊行物２に記載されている有機カルボン酸を使用してもよいことが記載されているものの、刊行物２に記載された多くの化合物の中から、本件請求項１に規定する有機カルボン酸を、具体的に選択し使用した例はなく、その使用量も明らかでない。
　さらに、刊行物１には、バインダーポリマー（Ｂ）が、酸モノマー（Ｂ−１）と、この酸モノマーと共重合可能なコモノマー（Ｂ−２）との共重合体であることについても記載されていない。
　以上の点から、本件発明１は、刊行物１に記載された発明であるとすることはできない。同じ理由で、請求項２に係る発明も刊行物１に記載された発明であるとすることはできない。
４．３．特許法第２９条第２項違反について（その１）
　本件発明１と、刊行物１に記載された発明とを対比すると、両者は、
「[Ａ]顔料、[Ｂ]バインダーポリマー、[Ｃ]感放射線化合物、[Ｄ]溶剤、（ス、セ、ソ）および、[Ｅ]分子量が１，０００以下であって、分子中に少なくとも１個の酸基を有する少なくとも１種の有機カルボン酸化合物（タ、ニ）を含有するカラーフィルター用感放射線性組成物（テ）であって、
前記有機カルボン酸化合物（Ｅ）が、脂肪族モノカルボン酸、脂肪族ジカルボン酸、脂肪族トリカルボン酸および芳香族ジカルボン酸から選ばれる少なくとも１種を含む（タ、ニ）ことを特徴とするカラーフィルター用感放射線性組成物。」
である点で一致し、
本件発明１が、
（ａ）バインダーポリマー（Ｂ）が、酸モノマー（Ｂ−１）と、この酸モノマーと共重合可能なコモノマー（Ｂ−２）との共重合体であることを規定するのに対して、刊行物１には、その点の記載がない点、
（ｂ）顔料（Ａ）が、バインダーポリマー（Ｂ）１００重量部に対して、１０〜１０００重量部の量で含まれることを規定するのに対して、刊行物１には、バインダーポリマー量に対する顔料の含有量を明記していない点、
（ｃ）有機カルボン酸化合物（Ｅ）が、該組成物中に０．００１〜１０重量％の量で含まれることを規定するのに対して、刊行物１には、有機カルボン酸の含有量を明記していない点、
において相違する。
　相違点について検討する。
　刊行物３には、「[Ａ]顔料（ヒ、フ）、[Ｂ]バインダーポリマー、[Ｃ]感放射線化合物、[Ｄ]溶剤、および、[Ｅ]分子量が１，０００以下であって、分子中に少なくとも１個の酸基を有する少なくとも１種の有機カルボン酸化合物を含有するレジスト用感放射線性組成物（ヌ〜ハ、フ）であって、
前記バインダーポリマー（Ｂ）が、酸モノマー（Ｂ−１）と、この酸モノマーと共重合可能なコモノマー（Ｂ−２）との共重合体（フ）であって、
前記有機カルボン酸化合物（Ｅ）が、脂肪族モノカルボン酸、脂肪族ジカルボン酸、脂肪族トリカルボン酸および芳香族ジカルボン酸から選ばれる少なくとも１種であって、該組成物中に０．００１〜１０重量％の量で含まれることを特徴とするレジスト組成物が記載されている。そして、該レジスト組成物において、有機カルボン酸の含有量を組成物全体に対して０．００１〜１０重量％含有させることにより、銅表面でのスカム、ステインの形成を防止することができることが記載されている（ヌ〜ハ）。しかしながら、刊行物３に記載されたレジスト組成物（ヌ）と、本件発明１に規定するカラーフィルター組成物とでは、その使用目的が異なり、支持体の材質（ヌ）においても相違する。支持体が異なれば、たとえ同じバインダー組成物を使用してもその付着力や、剥離性が大きく相違することは明らかであるから、刊行物３に記載された組成物中に使用されている有機カルボン酸を、カラーフィルター製造用の組成物に添加しても、果たして、同等の効果が得られるかどうかは予測の限りでない。
　さらに、組成物中に含まれる顔料の量も、本件発明１では、顔料（Ａ）が、バインダーポリマー（Ｂ）１００重量部に対して、１０〜１０００重量部の量で含まれることを規定するのに対して、刊行物３のものは、各実施例を参照しても、バインダーポリマー１００重量部に対して、高々、０．４８重量部にすぎない（フ）。これは、カラーフィルターのカラー層とするために高い顔料濃度を要求される本件発明１と、レジスト皮膜の単なる視認性を確保すれば足る（刊行物３）ものという本質的な違いに基づくものである。そのように顔料濃度が大きく異なる塗布組成物は、塗膜を形成してアルカリ溶液で洗浄現像する際の未溶解物の残存性や、基板との密着性において同等になるとは予測できないから、レジスト組成物の組成の一部をもって、カラーフィルター用感放射線性組成物に適用する動機付けがない。
　したがって、本件発明１は、刊行物１及び刊行物３に記載された発明に基づいて当業者が容易に発明をすることができたものとすることはできない。
　同じ理由で、請求項２に係る発明も、刊行物１及び刊行物３に記載された発明に基づいて当業者が容易に発明をすることができたものとすることはできない。
４．４．特許法第２９条第２項違反について（その２）
　本件発明１と、刊行物４に記載された発明（刊行物５もほぼ同様）とを対比すると、両者は、
「[Ａ]顔料、[Ｂ]バインダーポリマー、[Ｃ]感放射線化合物、[Ｄ]溶剤を含有するカラーフィルター用感放射線性組成物であって、
前記バインダーポリマー（Ｂ）が、酸モノマー（Ｂ−１）と、この酸モノマーと共重合可能なコモノマー（Ｂ−２）との共重合体であって、
前記顔料（Ａ）が、バインダーポリマー（Ｂ）１００重量部に対して、１０〜１０００重量部の量で含まれることを特徴とするカラーフィルター用感放射線性組成物。」である点で一致し、
本件発明１が、
（ｄ）[Ｅ]分子量が１，０００以下であって、分子中に少なくとも１個の酸基を有する少なくとも１種の有機カルボン酸化合物を含有し、有機カルボン酸化合物（Ｅ）が、脂肪族モノカルボン酸、脂肪族ジカルボン酸、脂肪族トリカルボン酸および芳香族ジカルボン酸から選ばれる少なくとも１種であって、該組成物中に０．００１〜１０重量％の量で含まれることを規定するのに対して、刊行物４には、その旨の記載がない点、
で相違する。
　相違点について検討する。
　刊行物３には、上記「４．３」項に示した事項が記載されており、同項に、説示した理由により、レジスト組成物の組成の一部をもって、カラーフィルター用感放射線性組成物に適用する動機付けがない。
　また、刊行物６には、[Ａ]顔料（ル）、[Ｂ]バインダーポリマー（ラ）、[Ｃ]感放射線化合物（ラ）、[Ｄ]溶剤、および、[Ｅ]分子量が１，０００以下であって、分子中に少なくとも１個の酸基を有する少なくとも１種の有機カルボン酸化合物（ラ、リ、ワ）を含有する感光性平版印刷版用組成物（ラ、ロ）であって、前記バインダーポリマー（Ｂ）が、酸モノマー（Ｂ−１）と、この酸モノマーと共重合可能なコモノマー（Ｂ−２）との共重合体であって（ラ）、前記有機カルボン酸化合物（Ｅ）が、脂肪族モノカルボン酸、脂肪族ジカルボン酸、脂肪族トリカルボン酸および芳香族ジカルボン酸から選ばれる少なくとも１種であって、該組成物中に０．０５〜１０重量％の量で含まれる（リ）感光性平版印刷版用組成物（ラ、ロ）に関する発明が開示されている。そして、該組成物において、有機カルボン酸を組成物全体に対して０．０５〜１０重量％含有させることにより、アンダー現像性、汚し回復性を向上することができることが記載されている（ワ）。しかしながら、刊行物６に記載された感光性平版印刷版用組成物（ラ、ロ）と、本件発明１に規定するカラーフィルター組成物とでは、その使用目的が異なり、支持体の材質（レ）においても相違する。支持体が異なれば、たとえ同じバインダー組成物を使用してもその付着力や、剥離性が大きく相違することは明らかであるから、刊行物６に記載された組成物中に使用されている有機カルボン酸を、カラーフィルター製造用の組成物に添加しても、果たして、同等の効果が得られるかどうかは予測の限りでない。
　さらに、組成物中に含まれる顔料の量も、本件発明１では、顔料（Ａ）が、バインダーポリマー（Ｂ）１００重量部に対して、１０〜１０００重量部の量で含まれることを規定するのに対して、刊行物６のものは、各実施例を参照しても、バインダーポリマー１００重量部に対して、高々、１．５４重量部にすぎない。これは、カラーフィルターのカラー層とするために高い顔料濃度を要求される本件発明１と、平版印刷版用感光性皮膜の単なる視認性を確保すれば足る（刊行物６）ものという本質的な違いに基づくものである。そのように顔料濃度が大きく異なる塗布組成物は、塗膜を形成してアルカリ溶液で洗浄現像する際の未溶解物の残存性や、基板との密着性において同等になるとは予測できないから、感光性平版印刷版用組成物の組成の一部をもって、カラーフィルター用感放射線性組成物に適用する動機付けがない。
　したがって、本件発明１は、刊行物４（５）及び刊行物３、６に記載された発明に基づいて当業者が容易に発明をすることができたものとすることはできない。
　同じ理由で、請求項２に係る発明も、刊行物４（５）及び刊行物３、６に記載された発明に基づいて当業者が容易に発明をすることができたものとすることはできない。
４．５．特許法第３６条違反について
　特許異議申立人森田昭司が、本件特許明細書について記載不備を申し立てる理由は、次のとおりである。
（ａ）明細書の段落【０００３】、【００２２】等の記載によれば、本件発明のカラーフィルター用感放射線性組成物は、ネガ型であることを意味するが、特許請求の範囲には、ネガ型である旨の限定がないため、ポジ型も含む。したがって、発明の説明に記載のない「ポジ型感放射線性組成物」を包含する請求項１、２の記載は、特許法第３６条第６項第１号に違反する。　
（ｂ）明細書の段落【００４４】、【比較例２】等の記載によれば、有機カルボン酸の含有量には、上限・下限があるべきところ、それを規定していない請求項１、２の記載は、特許法第３６条第６項第２号に違反する。
（ｃ）明細書の段落【００５８】、【００６１】、【００６５】、【００６８】、【００７１】、【００７４】等には、存在しない組成物３、５、６、７の記載があるため、請求項に係る発明を正確に把握できないから、特許法第３６条第４項に違反する。
　以下検討する。
（ａ）について
　明細書の段落【００２０】には、[Ｃ]感放射線化合物について、「本発明で用いられる感放射線化合物[Ｃ]は、放射線を照射されるとカルベン、ナイトレンなどのラジカル（活性分子片）を生じて反応し、バインダーポリマーに三次元架橋構造を形成させる化合物である。通常下記のような２種類の反応系によって三次元架橋構造が形成される。」と記載されており、それを受けて、特許請求の範囲請求項１には、[Ｃ]感放射線化合物を必須成分としていることが規定されている。してみれば、特許請求の範囲にネガ型であることを明記しなくても、その組成からネガ型を意味していることは明らかであるから、申立人の主張には理由がない。
（ｂ）について
　上記の訂正により、請求項１には、有機カルボン酸含有量について上限・下限が加入されたので、申立の理由は解消した。
（ｃ）について
　明細書全体の記載から見れば、誤記であることが明らかであり、上記の訂正によって正しい数字に訂正されたから、申立の理由は解消した。
IV．むすび
  以上のとおりであるから、特許異議申立の理由及び証拠によっては本件請求項１及び２に係る発明の特許を取り消すことはできない。
  また、他に本件請求項１及び２に係る発明の特許を取り消すべき理由を発見しない。
　したがって、本件請求項１及び２に係る発明の特許は、拒絶の査定をしなければならない特許出願に対して付与されたものと認めないから、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年１０月２９日（２００３．１０．２９）
【訂正の要旨】
審決（決定）の【理由】欄参照。
（５４）【発明の名称】
カラーフィルター用感放射線性組成物およびカラーフィルター
（５７）【特許請求の範囲】
　【請求項１】
　［Ａ］顔料、
　［Ｂ］バインダーポリマー、
　［Ｃ］感放射線化合物、
　［Ｄ］溶剤、および
　［Ｅ］分子量が１，０００以下であって、分子中に少なくとも１個の酸基を有する少なくとも１種の有機カルボン酸化合物を含有
するカラーフィルター用感放射線性組成物であって
　
前記バインダーポリマー（Ｂ）が、酸モノマー（Ｂ−１）と、この酸モノマーと共重合可能なコモノマー（Ｂ−２）との共重合体であって、
　前記顔料（Ａ）が、バインダーポリマー（Ｂ）１００重量部に対して、１０〜１０００重量部の量で含まれ、
　前記有機カルボン酸化合物（Ｅ）が、脂肪族モノカルボン酸、脂肪族ジカルボン酸、脂肪族トリカルボン酸および芳香族ジカルボン酸から選ばれる少なくとも１種であ
って、該組成物中に０．００１〜１０重量％の量で含まれ
　【請求項２】
　請求項１に記載のカラーフィルター用感放射線性組成物から形成されるカラーフィルター。
【発明の詳細な説明】
　【０００１】
　【産業上の利用分野】
　本発明は、カラー液晶表示装置や撮像管素子などに用いられるカラーフィルターを形成するためのカラーフィルター用感放射線性組成物に関し、より詳しくは、優れた歩留まりで高性能を有するカラーフィルターを製造しうるカラーフィルター用感放射線性組成物に関する。
　【０００２】
　【発明が解決しようとする問題点】
　従来、感放射線性組成物を用いてカラーフィルターを製造するに際しては、アルカリ性水溶液を用いて現像しているが、この際非画素部の基板表面上に、この感放射線性組成物の未溶解物が残存することがあった。そしてもし基板上の非画素部に感放射線性組成物の未溶解物が残存すると、得られるカラーフィルターは透過率が低下したり、コントラストが低下したりすることがあった。またカラーフィルターは、通常赤・青・緑いずれかの色相の感放射線性組成物を順次基板上に形成して三色の画素を形成しているが、ある色画素を形成する際に上記のように非画素部の基板表面上に感放射線性組成物の未溶解物が残存すると、次いでこの未溶解物が残存する基板上に形成された他色の色画素は、基板との密着性に劣るため剥離欠損してしまう恐れがあった。このように非画素部の基板表面上に感放射線性組成物の未溶解物が残存することが、カラーフィルター製造の歩留まりを低くする原因の一つでもあった。
　【０００３】
　本発明は、カラーフィルターを製造する際に、基板上の非画素部に感放射線性組成物の未溶解物が残存することなく、基板との密着性に優れた色画素をムラなく均一に形成しうるようなカラーフィルター用ネガ型感放射線性組成物を提供することを目的としている。
　【０００４】
　【問題点を解決するための手段】
　本発明は、上記のような従来技術における問題点を解消しようとするものであり、顔料、バインダーポリマー、感放射線化合物、溶剤および分子中に少なくとも一個の酸基（カルボキシル基）を有し、かつ分子量が１，０００以下である少なくとも一種の特定の有機カルボン酸化合物さらに必要に応じて添加剤からなるカラーフィルター用感放射線性組成物を用いて、基板上に画素を形成すると、上記問題点を一挙に解決できることを発見し、本発明を完成したものである。
　【０００５】
　【発明の具体的説明】
　以下本発明に係るカラーフィルター用感放射線性組成物について具体的に説明する。
　【０００６】
　本発明に係るカラーフィルター用感放射線性組成物は、
　［Ａ］顔料、
　［Ｂ］バインダーポリマー、
　［Ｃ］感放射線化合物、
　［Ｄ］溶剤、および
　［Ｅ］分子量が１，０００以下であって、分子中に少なくとも１個の酸基を有する少なくとも１種の有機カルボン酸化合物
からなり、さらに必要に応じて［Ｆ］添加剤を含有している。
　【０００７】
　以下にこれら成分を詳細に説明する。
　　　
［Ａ］顔料
　本発明では、顔料［Ａ］として、有機顔料または無機顔料が用いられる。
　【０００８】
　このような有機顔料としては、水または有機溶剤に不溶性の染料または顔料が挙げられ、具体的には、カラーインデックスＣＩ（Ｔｈｅ　Ｓｏｃｉｅｔｙ　ｏｆ　Ｄｙｅｒｓ　ａｎｄ　Ｃｏｌｏｕｒｉｓｔｓ出版）でピグメント（Ｐｉｇｍｅｎｔ）に分類されている化合物が挙げられる。
　【０００９】
　また無機顔料としては、金属酸化物、金属錯塩などの金属化合物が挙げられ、具体的には、鉄、コバルト、アルミニウム、カドミウム、鉛、銅、チタン、マグネシウム、クロム、亜鉛、アンチモンなどの金属酸化物または複合酸化物が挙げられる。
　【００１０】
　このような顔料［Ａ］としては、より具体的には、下記のようなカラーインデックスＣＩ番号の化合物が挙げられる。
　　Ｃ．Ｉ．Ｐｉｇｍｅｎｔ　Ｙｅｌｌｏｗ　２４，Ｃ．Ｉ．Ｐｉｇｍｅｎｔ　Ｙｅｌｌｏｗ　３１，Ｃ．Ｉ．Ｐｉｇｍｅｎｔ　Ｙｅｌｌｏｗ　５３，Ｃ．Ｉ．Ｐｉｇｍｅｎｔ　Ｙｅｌｌｏｗ　８３，Ｃ．Ｉ．Ｐｉｇｍｅｎｔ　Ｏｒａｎｇｅ　４３，Ｃ．Ｉ．Ｐｉｇｍｅｎｔ　Ｒｅｄ　１０５，
　　Ｃ．Ｉ．Ｐｉｇｍｅｎｔ　Ｒｅｄ　１４９，Ｃ．Ｉ．Ｐｉｇｍｅｎｔ　Ｒｅｄ　１７６，Ｃ．Ｉ．Ｐｉｇｍｅｎｔ　Ｒｅｄ　１７７，
　　Ｃ．Ｉ．Ｐｉｇｍｅｎｔ　Ｖｉｏｌｅｔ　１４，Ｃ．Ｉ．Ｐｉｇｍｅｎｔ　Ｖｉｏｌｅｔ　２９，Ｃ．Ｉ．Ｐｉｇｍｅｎｔ　Ｂｌｕｅ　１５，
　　Ｃ．Ｉ．Ｐｉｇｍｅｎｔ　Ｂｌｕｅ　１５：３，Ｃ．Ｉ．Ｐｉｇｍｅｎｔ　Ｂｌｕｅ　２２，Ｃ．Ｉ．Ｐｉｇｍｅｎｔ　Ｂｌｕｅ　２８，
　　Ｃ．Ｉ．Ｐｉｇｍｅｎｔ　Ｇｒｅｅｎ　１５，Ｃ．Ｉ．Ｐｉｇｍｅｎｔ　Ｇｒｅｅｎ　２５，Ｃ．Ｉ．Ｐｉｇｍｅｎｔ　Ｇｒｅｅｎ　３６，
　　Ｃ．Ｉ．Ｐｉｇｍｅｎｔ　Ｂｒｏｗｎ　２８，Ｃ．Ｉ．Ｐｉｇｍｅｎｔ　Ｂｌａｃｋ　１，Ｃ．Ｉ．Ｐｉｇｍｅｎｔ　Ｂｌａｃｋ　７など。
　【００１１】
　本発明では、顔料［Ａ］は、通常バインダーポリマー［Ｂ］１００重量部に対して、１０〜１０００重量部、好ましくは２０〜５００重量部の量で用いられる。
　【００１２】
　　　
［Ｂ］バインダーポリマー
　本発明では、バインダーポリマー［Ｂ］として、酸モノマー［Ｂ−１］と、この酸モノマーと共重合可能なコモノマー［Ｂ−２］との共重合体が好ましく用いられる。
　【００１３】
　このようなバインダーポリマー［Ｂ］を形成する際に用いられる酸モノマー［Ｂ−１］としては、分子中に少なくとも１個以上のカルボキシル基を有する不飽和カルボン酸（例えば、不飽和モノカルボン酸、不飽和ジカルボン酸）が挙げられる。不飽和カルボン酸としては、具体的に、（メタ）アクリル酸、クロトン酸、イタコン酸、マレイン酸、フマル酸などが挙げられる。
　【００１４】
　これらは、単独であるいは組み合わせて用いられる。
　またコモノマー［Ｂ−２］としては、具体的に、
　スチレン、α−メチルスチレン、ビニルトルエンなどの芳香族ビニル化合物、メチル（メタ）アクリレート、エチル（メタ）アクリレート、ブチル（メタ）アクリレート、２−ヒドロキシエチル（メタ）アクリレート、ベンジル（メタ）アクリレートなどの不飽和カルボン酸アルキルエステル、
　アミノエチルアクリレートなどの不飽和カルボン酸アミノアルキルエステル、グリシジル（メタ）アクリレートなどの不飽和カルボン酸グリシジルエステル、
　酢酸ビニル、プロピオン酸ビニルなどのカルボン酸ビニルエステル
　（メタ）アクリロニトリル、α−クロルアクリロニトリルなどのシアン化ビニル化合物、
　１，３−ブタジエン、イソプレンなどの脂肪族共役ジエン、
　それぞれ末端に（メタ）アクリロイル基を有するポリスチレン、ポリメチル（メタ）アクリレート、ポリブチル（メタ）アクリレート、ポリシリコーンなどのマクロモノマーなどが挙げられる。
　【００１５】
　これらは、単独であるいは組み合わせて用いられる。
　バインダーポリマー［Ｂ］を形成するに際しては、上記のような酸モノマー［Ｂ−１］は、モノマー合計１００重量％に対して、好ましくは１５重量％〜５０重量％の量で、より好ましくは２０重量％〜４０重量％の量で用いられる。
　【００１６】
　このようなバインダーポリマー［Ｂ］としては、具体的には、ベンジルメタクリレート／メタクリル酸／スチレン共重合体、メチルメタクリレート／メタクリル酸／スチレン共重合体、ベンジルメタクリレート／メタクリル酸／ポリスチレンマクロモノマー共重合体、メチルメタクリレート／メタクリル酸／ポリスチレンマクロモノマー共重合体などが挙げられる。
　【００１７】
　このような酸モノマー［Ｂ−１］から誘導される構成単位を含有するバインダーポリマー［Ｂ］は、アルカリ溶解性を示す。
　特に上記のような量で酸モノマー［Ｂ−１］を用いて得られるバインダーポリマー［Ｂ］は、アルカリ現像液への溶解性に優れて未溶解物を発生しにくく、非画素部基板上に地汚れや膜残りなどを発生しにくい。またこのバインダーポリマー［Ｂ］から形成される色画素は、アルカリ現像液中に過剰に溶解してしまうことがなく、基板との密着性に優れて基板から脱落しにくい。
　【００１８】
　本発明で用いられるバインダーポリマー［Ｂ］は、ゲルパーミエーションクロマトグラフィー（ＧＰＣ；ＴＨＦをキャリヤーとする）で測定されるポリスチレン換算重量平均分子量が、好ましくは２０，０００〜５００，０００であり、より好ましくは３０，０００〜３００，０００である。
　【００１９】
　このような分子量を有するバインダーポリマー［Ｂ］は、現像時に色画素周辺にスカム（浮きカス）を発生しにくく、シャープなパターンエッジを有する画素を形成しうるとともに、非画素部基板上に未溶解物が残存しにくく、地汚れや膜残りなどを発生しにくい。さらにこのようなバインダーポリマー［Ｂ］を用いると、最適条件下で現像しうる現像時間が長くなり、いわゆる現像時間のマージンが大きくなる。
　【００２０】
　　　
［Ｃ］感放射線化合物
　本発明で用いられる感放射線化合物［Ｃ］は、放射線を照射されるとカルベン、ナイトレンなどのラジカル（活性分子片）を生じて反応し、バインダーポリマーに三次元架橋構造を形成させる化合物である。通常下記のような２種類の反応系によって三次元架橋構造が形成される。
　【００２１】
　（ｉ）感放射線化合物に放射線を照射することによって遊離されるカルベン、ナイトレンなどのラジカルが、バインダーポリマーなどに作用して二重結合の連鎖反応を誘起させ、三次元架橋構造を形成するもの、
　（ｉｉ）感放射線化合物などの分子に放射線を照射することによって遊離されたカルベン、ナイトレンなどのラジカルが、バインダーポリマー中のＣ−Ｃ結合またはＣ−Ｈ結合に挿入反応して結合し、三次元架橋構造を形成するもの。
　【００２２】
　前記バインダーポリマー［Ｂ］は、（ｉ）の反応系により三次元架橋反応する際に絡め込まれるか、あるいは（ｉｉ）の反応系により感放射線化合物［Ｃ］と反応して架橋構造を形成して、不溶化される。
　【００２３】
　なお本発明で「放射線」という語は、可視光線、紫外線、電子線、Ｘ線などを含む概念で用いられる。
　このような感放射線化合物［Ｃ］としては、具体的には、光重合開始剤、光重合性モノマー、光重合性オリゴマー、光架橋剤などが挙げられる。
　【００２４】
　上記のような光重合開始剤としては、たとえば、
　ジアセチル、ベンゾインなどのカルボニウム化合物、
　アゾビスイソブチロニトリル、ジアゾニウム、アジド化合物などのアゾ化合物またはアジド化合物、
　メルカプタンジスルフィドなどの有機硫黄化合物、
　エーテルパーオキサイド、カルボン酸パーオキサイドなどの過酸化物が挙げられる。
　【００２５】
　より具体的には、
　２−ヒドロキシ−２−メチル−１−フェニルプロパン−１−オン、
　１−（４−イソプロピルフェニル）−２−ヒドロキシ−２−メチルプロパン−１−オン、
　４−（２−ヒドロキシエトキシ）フェニル−（２−ヒドロキシ−２−プロピル）ケトン、１−ヒドロキシシクロヘキシルフェニルケトン、
　２，２−ジメトキシ−２−フェニルアセトフェノン、
　２−メチル（４−メチルチオフェニル）−２−モルフォリノ−１−プロパン−１−オン、２−ベンジル−２−ジメチルアミノ−１−（４−モルフォリノフェニル）−ブタン−１−オン、
　ベンゾフェノン、
　４，４’−ビス（ジメチルアミノ）ベンゾフェノン、
　４，４’−ビス（ジエチルアミノ）ベンゾフェノン、
　２，４−ジエチルチオキサントン、
　３，３−ジメチル−４−メトキシベンゾフェノン、
　４−アジドベンズアルデヒド、
　４−アジドアセトフェノン、
　４−アジドベンザルアセトフェノン、
　アジドピレン、
　４−ジアゾジフェニルアミン、
　４−ジアゾ−４’−メトキシ−ジフェニルアミン、
　４−ジアゾ−３−メトキシ−ジフェニルアミン、
　ジベンゾイル（別称ベンジル）、
　ベンゾインチノイソブチルエーテル、
　Ｎ−フェニル−チオアクリドン、
　トリフェニルピリリウムパークロレートなどが挙げられる。
　【００２６】
　これらの中で、２−メチル−（４−メチルチオフェニル）−２−モルフォリノプロパン−１−オン、２−ベンジル−２−ジメチルアミノ−１−（４−モルフォリノフェニル）−ブタン−１−オンが好ましい。
　【００２７】
　光重合性モノマーまたは光重合性オリゴマーとしては、
　トリメチロールプロパントリアクリレート、
　ペンタエリスリトールトリアクリレート、
　トリスアクリロイルオキシエチルフォスフェート、
　ペンタエリスリトールテトラアクリレート、
　ジペンタエリスリトールペンタアクリレート、
　ジペンタエリスリトールヘキサアクリレートなどの多官能アクリレート、
およびこれらのオリゴマーが挙げられる。
　【００２８】
　これらの中で、トリメチロールプロパントリアクリレート、ジペンタエリスリトールペンタアクリレート、ペンタエリスリトールトリアクリレートが好ましい。
　【００２９】
　光架橋剤としては、具体的に、
　ジアジドカルコン、
　２，６−ビス（４’−アジドベンザル）シクロヘキサノン、
　２，６−ビス（４’−アジドベンザル）−４−メチルシクロヘキサノン、
　１，３−ビス（４’−アジドベンザル）−２−プロパノン、
　１，３−ビス（４’−アジドシンナミリデン）−２−プロパノン、
　４，４’−ジアジドスチルベン、
　重クロム酸アンモニウムなどが挙げられる。
　【００３０】
　本発明では、上記のような光重合開始剤、光重合性モノマー、光重合性オリゴマーまたは光架橋剤は単独であるいは組み合わせて用いられるが、光重合開始剤と、光重合性モノマーまたは光重合性オリゴマーとを併用することが好ましく、光重合開始剤として放射線の照射でラジカルを発生する化合物と光重合性モノマーまたはオリゴマーとして多価アクリレートを用いるのがさらに好ましい。
　【００３１】
　このような感放射線化合物［Ｃ］は、バインダーポリマー［Ｂ］１００重量部に対して、通常５〜５００重量部、好ましくは２０〜２００重量部の量で用いられる。
　【００３２】
　なお光重合開始剤と、光重合性モノマーまたは光重合性オリゴマーとを併用する場合には、通常、光重合性モノマーまたは光重合性オリゴマー１００重量部に対して、光重合開始剤が０．０１〜２００重量部、好ましくは１〜１２０重量部の量で用いられることが望ましい。
　【００３３】
　増感剤が用いられる場合には、増感剤は光重合開始剤１００重量部に対して、０．０１〜２００重量部、好ましくは５０〜１８０重量部の量で用いられる。
　本発明で用いられる感放射線化合物［Ｃ］は、さらに上記のような光重合開始剤、光重合性モノマーまたは光重合性オリゴマー、光架橋剤または増感剤として機能し得る官能基を主鎖または側鎖中に有する高分子化合物を含有していてもよい。
　【００３４】
　このような高分子化合物としては、具体的に、
　４−アジドベンズアルデヒドとポリビニルアルコールとの縮合物、
　４−アジドベンズアルデヒドとフェノールノボラック樹脂の縮合物、
　４−アクリロイルフェニルシンナモイルエステルの重合物または共重合物、
　１，４−ポリブタジエン、１，２−ポリブタジエンなどが挙げられる。
　【００３５】
　　　
［Ｄ］溶剤
　本発明で用いられる溶剤［Ｄ］としては、具体的に、
　メチルアルコール、エチルアルコール、ｎ−プロピルアルコール、ｉ−プロピルアルコールなどのアルコール系溶媒、
　メトキシアルコール、エトキシアルコールなどのセロソルブ系溶媒、
　メトキシエトキシエタノール、エトキシエトキシエタノールなどのカルビトール系溶媒、
　酢酸エチル、酢酸ブチル、メトキシプロピオン酸メチル、エトキシプロピオン酸エチル、乳酸エチルなどのエステル系溶媒、
　アセトン、メチルイソブチルケトン、シクロヘキサノンなどのケトン系溶媒、メトキシエチルアセテート、エトキシエチルアセテート、エチルセロソルブアセテートなどのセロソルブアセテート系溶媒、
　メトキシエトキシエチルアセテート、エトキシエトキシエチルアセテートなどのカルビトールアセテート系溶媒、
　ジエチルエーテル、エチレングリコールジメチルエーテル、ジエチレングリコールジエチルエーテル、テトラヒドロフランなどのエーテル系溶媒、
　Ｎ，Ｎ−ジメチルホルムアミド、Ｎ，Ｎ−ジメチルアセトアミド、Ｎ−メチルピロリドンなどの非プロトン性アミド系溶媒、
　Ｙ−ブチロラクトンなどのラクトン系溶媒、
　ベンゼン、トルエン、キシレン、ナフタレンなどの不飽和炭化水素系溶媒、
　ｎ−ヘプタン、ｎ−ヘキサン、ｎ−オクタンなどの飽和炭化水素系溶媒などの有機溶媒が挙げられる。
　【００３６】
　これらの溶媒のうち、メトキシエチルアセテート、エトキシエチルアセテート、エチルセロソルブアセテートなどのセロソルブアセテート系溶媒、メトキシエトキシエチルアセテート、エトキシエトキシエチルアセテートなどのカルビトールアセテート系溶媒、エチレングリコールジメチルエーテル、ジエチレングリコールジエチルエーテル、プロピレングリコールジエチルエーテルなどのエーテル系溶媒、メトキシプロピオン酸メチル、エトキシプロピオン酸エチル、乳酸エチルなどのエステル系溶媒が好ましい。
　【００３７】
　本発明では、溶媒［Ｄ］は、通常バインダーポリマー［Ｂ］１００重量部に対して１００〜１００００重量部、好ましくは５００〜５０００重量部の量で用いられる。
　【００３８】
　　　
［Ｅ］有機カルボン酸化合物
　本発明で用いられる有機カルボン酸化合物［Ｅ］は、分子量が１，０００以下であって、分子中に少なくとも一個の酸基（カルボキシル基）を有している。
　【００３９】
　このような有機カルボン酸化合物［Ｅ］としては、具体的に、脂肪族カルボン酸またはフェニル基含有カルボン酸が用いられる。
　脂肪族カルボン酸としては、具体的に、
　ギ酸、酢酸、プロピオン酸、酪酸、吉草酸、ピバル酸、カプロン酸、ジエチル酢酸、エナント酸、カプリル酸などのモノカルボン酸、
　シュウ酸、マロン酸、コハク酸、グルタル酸、アジピン酸、ピメリン酸、スベリン酸、アゼライン酸、セバシン酸、ブラシル酸、メチルマロン酸、エチルマロン酸、ジメチルマロン酸、メチルコハク酸、テトラメチルコハク酸、シクロヘキサンジカルボン酸、イタコン酸、シトラコン酸、マレイン酸、フマル酸などのジカルボン酸、
　トリカルバリル酸、アコニット酸、カンホロン酸などのトリカルボン酸などが挙げられる。
　【００４０】
　またフェニル基含有カルボン酸としては、フェニル基に直接カルボキシル基が結合したカルボン酸およびフェニル基に炭素結合を介してカルボキシル基が結合したカルボン酸が挙げられる。
　【００４１】
　このようなフェニル基含有カルボン酸としては、具体的に、
　安息香酸、トルイル酸、クミン酸、ヘメリト酸、メシチレン酸などのモノカルボン酸、
　フタル酸、イソフタル酸、テレフタル酸、トリメリット酸、トリメシン酸、メロファン酸、ピロメリット酸などのポリカルボン酸、
　フェニル酢酸、ヒドロアトロパ酸、ヒドロケイ皮酸、マンデル酸、フェニルコハク酸、アトロパ酸、ケイ皮酸、ケイ皮酸メチル、ケイ皮酸ベンジル、シンナミリデン酢酸、クマル酸、ウンベル酸などが挙げられる。
　【００４２】
　これらの中で、マロン酸、シトラコン酸、イタコン酸、メサコン酸、フマル酸、フタル酸などの脂肪族または芳香族ジカルボン酸が好ましい。
　上記のような有機カルボン酸化合物［Ｅ］は、単独であるいは組み合わせて用いられる。
　【００４３】
　本発明に係るカラーフィルター用感放射線性組成物は、上記のような有機カルボン酸化合物［Ｅ］を、組成物中に０．００１〜１０重量％、好ましくは０．０１〜１重量％の量で含有している。
　【００４４】
　カラーフィルター用感放射線性組成物中の有機カルボン酸の含有量が０．００１重量％未満であると、基板上の非画素部への未溶解物の残存を充分に防止できないことがあり、一方１０重量％を超えると、画素と基板との密着性が低下する恐れが生じてしまうことがある。
　【００４５】
　本発明に係るカラーフィルター用感放射線性組成物は、必要に応じて添加剤を含有していてもよい。このような添加剤としては、具体的に、充填剤、他の高分子化合物、界面活性剤、密着促進剤、酸化防止剤、紫外線吸収剤、凝集防止剤などが挙げられる。
　【００４６】
より具体的には、
　ガラス、アルミナなどの充填剤、
　ポリビニルアルコール、ポリアクリル酸、ポリエチレングリコールモノアルキルエーテル、ポリフロロアルキルアクリレートなどの他の高分子化合物、
　ノニオン系、カチオン系、アニオン系などの界面活性剤、
　ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシランなどの密着促進剤、
　２，２−チオビス（４−メチル−６−ｔ−ブチルフェノ−ル）、２，６−ジ−ｔ−ブチルフェノ−ルなどの酸化防止剤、
　２−（３−ｔ−ブチル−５−メチル−２−ヒドロキシフェニル）−５−クロロベンゾトリアゾール、アルコキシベンゾフェノンなどの紫外線吸収剤、
　ポリアクリル酸ナトリウムなどの凝集防止剤、
　ベンゾフェノン、４，４’−ビス（ジエチルアミノ）ベンゾフェノン、ニトロピンなどの波長２００〜４９０ｎｍの光を吸収する有機色素系などの増感剤が挙げられる。
　【００４７】
　上記のような組成を有する本発明に係るカラーフィルター用感放射線性組成物は、現像時に非画素部基板表面上に未溶解物を残存することなくカラーフィルタを形成することができる。
　【００４８】
　本発明に係るカラーフィルター用感放射線性組成物は、基板上好ましくは遮光層パターンが形成されている基板上に、フォトリソグラフ法により色画素を形成してカラーフィルターを製造するために用いられるが、このようなカラーフィルター用感放射線性組成物を用いて画素を形成する際に非画素部に感放射線性組成物の未溶解物が残存することがなく、したがって形成された色画素すなわちカラーフィルターは基板および遮光層パターンとの密着性に優れている。
　【００４９】
　したがって本発明に係る感放射線性組成物を用いて形成された画素は基板から剥離する恐れがなく、また得られるカラーフィルターは、透過率またはコントラストに優れている。
　【００５０】
　このように本発明に係るカラーフィルター用感放射線性組成物を用いると、高性能のカラーフィルターを優れた歩留りで製造することができる。
　なお本発明では、カラーフィルター用感放射線性組成物を用いて画素を形成する際に、現像液としては、炭酸ナトリウム、水酸化ナトリウム、水酸化カリウム、テトラメチルアンモニウムハイドロオキサイドなどのアルカリ性溶液を用いることが好ましい。
　【００５１】
　【実施例】
　次に本発明を実施例により具体的に説明するが、本発明はこれら実施例により限定されるものではない。
　【００５２】
　【実施例１】
　表面にナトリウムイオンの溶出を防止するＳｉＯ２膜が形成されたソーダガラス基板表面上に、所望されるパターン形状の遮光層を形成し、さらに表１に示すようなカラーフィルター用感放射線性組成物１をスピンコーターにより所望厚さに塗布した後、８０□で十分間乾燥した。次いで冷却した後、形成されたカラーフィルター層をフォトマスクを通して高圧水銀ランプによって４００ｍｊ／ｃｍ２の紫外線に露光した。次いで、この基板を０．０５％炭酸ナトリウム水溶液に浸漬して現像し、２０μｍ×２０μｍの赤色画素を形成した。
　【００５３】
　【表１】
　【００５４】
　上記のようにして色画素を製造したところ、基板上の非画素部に未溶解物を残存することなくカラーフィルターを形成することができた。
　このカラーフィルター用感放射線性組成物１を室温で三日間放置した後、上記と同様にして、赤色画素を形成し、０．０５％炭酸ナトリウム水溶液に浸漬して現像したところ、基板上の非画素部に未溶解物を残存することなくカラーフィルターを形成することができた。
　【００５５】
　【比較例１】
　実施例１において、カラーフィルター用感放射線性組成物１に代えて表２に示す組成物２を用いた以外は、実施例１と同様にして赤色画素を形成した。
　【００５６】
　【表２】
　【００５７】
　上記のようにして色画素を形成したところ、基板上の非画素部に未溶解物を生じた。
　また炭酸ナトリウム水溶液の濃度を０．５％まで高めると、非画素部の未溶解物は減少したが、形成された画素の一部分が剥離したり、画素エッジのシャープさが低下した。
　【００５８】
　【実施例２】
　実施例１において、カラーフィルター用感放射線性組成物１に代えて表
３
　【００５９】
　【表３】
　【００６０】
　上記のようにして色画素を形成したところ、基板上の非画素部に未溶解物を残存することなくカラーフィルターを形成することができた。
　実施例１と同様に室温で三日間放置した後も、基板上の非画素部に未溶解物を残存することなくカラーフィルターを形成することができた。
　【００６１】
　【比較例２】
　実施例１において、カラーフィルター用感放射線性組成物１に代えて表
４
４
　【００６２】
　【表４】
　【００６３】
　このカラーフィルター用感放射線性組成物は、安息香酸（有機カルボン酸）を１５重量％と多量に含んでいるため、炭酸ナトリウム水溶液で現像したところ、画素部、非画素部ともに完全に炭酸ナトリウム水溶液に溶解し、画素を形成することができなかった。
　【００６４】
　炭酸ナトリウム水溶液の濃度を０．００１％まで下げても同様の結果であった。
　【００６５】
　【実施例３】
　実施例１において、カラーフィルター用感放射線性組成物１に代えて表
５
　【００６６】
　【表５】
　【００６７】
　上記のようにして色画素を形成したところ、基板上の非画素部に未溶解物を残存することなくカラーフィルターを形成することができた。
　実施例１と同様に室温で三日間放置した後も、基板上の非画素部に未溶解物を残存することなくカラーフィルターを形成することができた。
　【００６８】
　【実施例４】
　実施例１において、カラーフィルター用感放射線性組成物１に代えて表
６
　【００６９】
　【表６】
　【００７０】
　上記のようにして色画素を形成したところ、基板上の非画素部に未溶解物を残存することなくカラーフィルターを形成することができた。
　実施例１と同様に室温で三日間放置した後も、基板上の非画素部に未溶解物を残存することなくカラーフィルターを形成することができた。
　【００７１】
　【実施例５】
　実施例１において、カラーフィルター用感放射線性組成物１に代えて表
７
　【００７２】
　【表７】
　【００７３】
　上記のようにして色画素を形成したところ、基板上の非画素部に未溶解物を残存することなくカラーフィルターを形成することができた。
　実施例１と同様に室温で三日間放置した後も、基板上の非画素部に未溶解物を残存することなくカラーフィルターを形成することができた。
　【００７４】
　【実施例８】
　実施例１において、カラーフィルター用感放射線性組成物１に代えて表
８
８
　【００７５】
　【表８】
　【００７６】
　上記のようにして色画素を形成したところ、基板上の非画素部に未溶解物を残存することなくカラーフィルターを形成することができた。
　実施例１と同様に室温で三日間放置した後も、基板上の非画素部に未溶解物を残存することなくカラーフィルターを形成することができた。
　【００７７】
　【発明の効果】
　本発明に係るカラーフィルター用感放射線性組成物を用いて画素を形成すると、基板上の非画素部には感放射線性組成物の未溶解物を残存することがなく、基板との密着性に優れた色画素をムラなく均一に形成することができる。
　【００７８】
　したがって本発明に係る感放射線性組成物を用いて形成された色画素は基板から剥離する恐れがなく、また得られるカラーフィルターは、透過率またはコントラストに優れている。
　【００７９】
　本発明に係るカラーフィルター用感放射線性組成物を用いると、上記のように高性能のカラーフィルターを、優れた歩留まりで製造することができる。